(57)【特許請求の範囲】
【請求項１】
上向きに口部を有し、内部に液状物を収容する自立性の本容器本体と、前記口部を開閉自在に閉じる蓋部とを備えた本容器の本容器本体に、詰替容器内に収容された液状物を注出する詰替方法であって、詰替容器として、先端部が斜めカットされた注出ノズルを形成する筒状体が、詰替容器本体の口部に設けられたキャップから起立していることにより該注出ノズル詰替容器本体の頂部に有し、筒状体の基部の外径が本容器本体の口部の開口径よりも小さく、キャップの外径が本容器本体の口部の開口径よりも大きい自立性の詰替容器を使用し、詰替容器の注出ノズルを本容器本体の口部に挿入し、本容器本体上に詰替容器本体を倒立させた状態で本容器本体と詰替容器本体とを自立させる詰替方法。
【請求項２】
請求項１記載の詰替方法に使用する詰替容器であって、自立性の詰替容器本体の口部に設けられたキャップから筒状体が起立し、その筒状体の先端部が易開封部で閉じられた注出ノズル形成用突出部を有し、
易開封部が、
筒状体の先端部が斜めカットされるように筒状体に形成された環状破断部と、環状破断部よりも筒状体の先端部側に連結したリング状の指掛け部を有し、
筒状体の基部の外径が本容器本体の口部の開口径よりも小さく、キャップの外径が本容器本体の口部の開口径よりも大きい詰替容器。
【請求項３】
リング状の指掛け部が筒状体の側面部側に設けられている請求項２記載の詰替容器。
【請求項４】
筒状体が詰替容器本体のキャップから起立し、リング状の指掛け部の下端部がキャップと切り離し可能に繋がっている請求項３記載の詰替容器。
【請求項５】
筒状体が詰替容器本体のキャップから起立し、リング状の指掛け部が筒状体の側面と切り離し可能に繋がっている請求項３記載の詰替容器。
【請求項６】
請求項１記載の詰替方法に使用する詰替容器であって、自立性の詰替容器本体の口部に設けられたキャップから筒状体が起立し、その筒状体の先端部が易開封部で閉じられた注出ノズル形成用突出部を有し、
易開封部が、
筒状体の先端部が斜めカットされるように筒状体壁に形成された環状破断部と、該環状破断部で囲まれた筒状体先端部側端面に起立した板状部材で形成された摘み部とを有し、
筒状体の基部の外径が本容器本体の口部の開口径よりも小さく、キャップの外径が本容器本体の口部の開口径よりも大きい詰替容器。
【請求項７】
摘み部において、板状部材の横断面がＳ字形状を有する請求項６記載の詰替容器。
【請求項８】
請求項１記載の詰替方法に使用する詰替容器であって、自立性の詰替容器本体の口部に設けられたキャップから筒状体が起立し、その筒状体の先端部が易開封部で閉じられた注出ノズル形成用突出部を有し、
易開封部が、
筒状体の先端部が斜めカットされるように筒状体壁に形成された環状破断部と、該環状破断部で囲まれた筒状体先端部側端面から延設された開封タブとを有し、
筒状体の基部の外径が本容器本体の口部の開口径よりも小さく、キャップの外径が本容器本体の口部の開口径よりも大きい詰替容器。
【請求項９】
請求項１記載の詰替方法に使用する本容器であって、上向きに口部を有し、内部に液状物を収容する自立性の本容器本体と、口部を開閉自在に閉じる蓋部とを備え、
蓋部が、
本容器本体の口部に着脱自在に螺合し、液吐出用小孔を有する中蓋と、
中蓋が本容器本体の口部を覆った状態で中蓋の外側から本容器本体の口部に螺合する外蓋とを有し、
中蓋を外すことで開口する本容器本体の口部の開口径が、詰替容器の筒状体の基部の外径よりも大きく、詰替容器のキャップの外径よりも小さい本容器。
【請求項１０】
請求項１記載の詰替方法に使用する本容器であって、上向きに口部を有し、内部に液状物を収容する自立性の本容器本体と、口部を開閉自在に閉じる蓋部とを備え、
蓋部が、
本容器本体の口部に装着される環状部材と、
環状部材とヒンジで連結され、本容器本体の口部を開閉自在に覆い、液吐出用小孔を有する中蓋と、
中蓋が本容器本体の口部を覆った状態で中蓋の外側から本容器本体の口部に螺合する外蓋とを有し、
ヒンジを開くことで開口する本容器本体の口部の開口径が、詰替容器の筒状体の基部の外径よりも大きく、詰替容器のキャップの外径よりも小さい本容器。
【発明の詳細な説明】
【技術分野】
【０００１】
本発明は、化粧水、乳液等の液状物を収容する本容器へ、その液状物を詰替容器から詰め替える詰替方法に関する。
【背景技術】
【０００２】
化粧水、乳液等の液状物を収容する本容器について、省資源化や製品の低価格化の点から、本容器を繰り返し使用可能とするために、詰替容器から内容物を本容器に詰め替えることが行なわれている。
【０００３】
詰替容器としては、一般にパウチやブロー成形による肉薄のボトルが使用される。詰替時には、詰替容器の注出口が本容器の口部上に位置するように詰替容器を把持し、詰替容器の傾きを徐々に大きくすることにより内容物が本容器に移し替えられる。
【０００４】
しかしながら、詰替容器がパウチの場合、詰替容器自体に張りがなく、内容物の吐出に伴ってその外形が変わるため、パウチから吐出させる内容物が本容器の口部から外れないようにするためには、パウチの把持に相当の注意が必要であり、煩雑となる。また、パウチを構成するフィルムの重なり合いにより、注出口が不用意に閉じてしまうという問題もある。ボトルは、パウチよりも詰替時の容器の把持が容易であるが、空気置換が円滑に行われないために内容物が脈打つように吐出する場合があり、それにより、内容物が不用に泡立つなどの問題が引き起こされる。
【０００５】
詰替容器からの内容物の吐出を安定化させる方法としては、詰替容器の注出口に空気置換経路を設けることが提案されている（特許文献１）。
【先行技術文献】
【特許文献】
【０００６】
【特許文献１】特開２００５−８８９２９号公報
【発明の概要】
【発明が解決しようとする課題】
【０００７】
本発明は、液状物を詰替容器から本容器に詰め替えるにあたり、液状物の吐出状態を安定化させると共に、詰替作業を極めて簡便に行えるようにすることを目的とする。
【課題を解決するための手段】
【０００８】
本発明者は、液状物を詰替容器から本容器に詰め替えるにあたり、詰替容器の注出口として、先端部が斜めにカットされた注出ノズルを使用すると、詰替容器から液状物が脈打つように吐出することを防止あるいは抑制でき、さらに、本容器の口部に詰替容器の注出ノズルを挿入した状態で、詰替容器が自立できるようにすると、詰替作業が極めて簡便になることを見出した。
【０００９】
即ち、本発明は、上向きに口部を有し、内部に液状物を収容する自立性の本容器本体と、前記口部を開閉自在に閉じる蓋部とを備えた本容器の本容器本体に、詰替容器内に収容された液状物を注出する詰替方法であって、詰替容器として、先端部が斜めカットされた注出ノズルを詰替容器本体の頂部に有する自立性の詰替容器を使用し、詰替容器の注出ノズルを本容器本体の口部に挿入し、本容器本体上に詰替容器本体を倒立させた状態で本容器本体と詰替容器本体とを自立させる詰替方法を提供する。
【００１０】
また、本発明は、上述の詰替方法に使用する第１の詰替容器として、自立性の詰替容器本体の頂部に、筒状体の先端部が易開封部で閉じられた注出ノズル形成用突出部を有し、
易開封部が、筒状体の先端部が斜めカットされるように筒状体に形成された環状破断部と、環状破断部よりも筒状体の先端部側に連結したリング状の指掛け部を有する詰替容器を提供する。
【００１１】
第２の詰替容器として、自立性の詰替容器本体の頂部に、筒状体の先端部が易開封部で閉じられた注出ノズル形成用突出部を有し、易開封部が、筒状体の先端部が斜めカットされるように筒状体壁に形成された環状破断部と、該環状破断部で囲まれた筒状体先端部側端面に起立した板状部材で形成された摘み部とを有する詰替容器を提供する。
【００１２】
第３の詰替容器として、自立性の詰替容器本体の頂部に、筒状体の先端部が易開封部で閉じられた注出ノズル形成用突出部を有し、易開封部が、筒状体の先端部が斜めカットされるように筒状体壁に形成された環状破断部と、該環状破断部で囲まれた筒状体先端部側端面から延設された開封タブとを有する詰替容器を提供する。
【００１３】
また、本発明は、上述の詰替方法に使用する第１の本容器として、上向きに口部を有し、内部に液状物を収容する自立性の本容器本体と、口部を開閉自在に閉じる蓋部とを備え、蓋部が、本容器本体の口部に着脱自在に螺合し、液吐出用小孔を有する中蓋と、中蓋が本容器本体の口部を覆った状態で中蓋の外側から本容器本体の口部に螺合する外蓋とを有する本容器を提供する。
【００１４】
さらに、第２の本容器として、上向きに口部を有し、内部に液状物を収容する自立性の本容器本体と、口部を開閉自在に閉じる蓋部とを備え、蓋部が、本容器本体の口部に装着される環状部材と、環状部材とヒンジで連結され、本容器本体の口部を開閉自在に覆い、液吐出用小孔を有する中蓋と、中蓋が本容器本体の口部を覆った状態で中蓋の外側から本容器本体の口部に螺合する外蓋とを有する本容器を提供する。
【発明の効果】
【００１５】
本発明の詰替方法によれば、先端部が斜めにカットされた注出ノズルを通して詰替容器本体から本容器本体へ液状物を詰め替えるので、詰替時に液状物が脈打つように吐出することを抑え、滑らかな吐出状態に安定化させることができ、したがって、液状物の泡立ちを抑えることが可能となる。
【００１６】
また、本発明によれば、本容器本体の口部に詰替容器の注出ノズルを挿入し、詰替容器本体を倒立させた状態でそれらを自立させるので、自立させた以降は詰替容器を把持しなくても詰替作業を完了することができる。したがって、詰替作業が極めて簡便になる。
【００１７】
本発明の第１、第２、第３の詰替容器は、易開封部を容易に開封することができ、それにより、先端部が斜めにカットされた注出ノズルを有する詰替容器となるので、本発明の詰替方法を行う詰替容器として有用となる。
【００１８】
また、本発明の第１、第２の本容器は、液吐出用小孔を有する中蓋を容易に本容器の口部から着脱させることができるので、詰替時には、本容器の口部から中蓋を速やかに外して口部を大きく開口させ、本発明の詰替方法に供することができ、詰替終了後には、速やかに中蓋を口部上に戻して本容器を吐出容器として使用することが可能となる。
【図面の簡単な説明】
【００１９】
【図１Ａ】図１Ａは、本発明の詰替方法に使用する本容器と詰替容器の一実施例の斜視図である。
【図１Ｂ】図１Ｂは、図１Ａの本容器の開口状態と、詰替容器の注出ノズルの開封状態を示す斜視図である。
【図１Ｃ】図１Ｃは、図１Ａの本容器と詰替容器を用いた詰替方法の詰替開始時の説明図である。
【図１Ｄ】図１Ｄは、図１Ａの本容器と詰替容器を用いた詰替方法でのこれらの自立状態を示す斜視図及び部分断面図である。
【図２】図２は、図１Ａに示した本容器の蓋部の説明図である。
【図３】図３は、本発明の異なる態様の本容器の蓋部の説明図である。
【図４Ａ】図４Ａは、図１Ａに示した詰替容器の注出ノズル形成用突出部付近の斜視図(a)及び断面図(b)である。
【図４Ｂ】図４Ｂは、図１Ａに示した詰替容器の注出ノズル形成用突出部の開封方法の説明図である。
【図５】図５は、本発明の異なる態様の詰替容器の注出ノズル形成用突出部付近の斜視図である。
【図６】図６は、本発明のさらに異なる態様の詰替容器の注出ノズル形成用突出部付近の斜視図(a)及びその部分断面図(b)である。
【図７】図７は、本発明のさらに異なる態様の詰替容器の注出ノズル形成用突出部付近の斜視図(a)及びその側面(b)である。
【図８】図８は、本発明のさらに異なる態様の詰替容器の注出ノズル形成用突出部付近の斜視図(a)及びその側面(b)、(c)である。
【図９Ａ】図９Ａは、本発明のさらに異なる態様の詰替容器の斜視図(a)及び側面図(b)である。
【図９Ｂ】図９Ｂは、図９Ａに示した詰替容器の注出ノズル形成用突出部の開封方法の説明図である。
【図１０Ａ】図１０Ａは、本発明のさらに異なる態様の詰替容器の斜視図(a)及び側面図(b)である。
【図１０Ｂ】図１０Ｂは、図１０Ａに示した詰替容器の注出ノズル形成用突出部の開封方法の説明図である。
【図１１Ａ】図１１Ａは、本発明のさらに異なる態様の詰替容器の斜視図である。
【図１１Ｂ】図１１Ｂは、図１１Ａに示した詰替容器の注出ノズル形成用突出部の開封方法の説明図である。
【発明を実施するための形態】
【００２０】
以下、図面を参照しつつ、本発明を詳細に説明する。なお、各図中、同一符号は同一又は同等の構成要素を表している。
【００２１】
図１Ａは、本発明の詰替方法に使用する一実施例の本容器１０と詰替容器４０Ａの斜視図である。この本容器１０は、内部に液状物Ａを収容する本容器本体１１と蓋部２０Ａを有する。
【００２２】
本容器本体１１は、有底筒状形状で自立性を有し、上向きに口部１２を有する。図１Ｂ（ａ）に示すように口部１２の周壁は、上端部に向かって２段に外径が縮径され、細径の周壁上部１３と太径の周壁下部１４のそれぞれにネジが形成されている。
【００２３】
蓋部２０Ａは、本容器本体１１の口部１２を開閉自在に閉じるもので、より具体的には図２（ａ）に示すように、中蓋２１Ａと外蓋３０からなる。中蓋２１Ａは概略円盤形状で、中央部に吐出用小孔２２を有し、周囲に環状壁２３を有する。図２（ｂ）に示すように、中蓋２１Ａの環状壁２３の内側と本容器本体１１の口部１２の周壁上部１３が着脱自在に螺合する。図２（ｃ）に示すように、中蓋２１Ａが本容器本体１１の口部１２の周壁上部１３と螺合した状態で、外蓋３０は、中蓋２１Ａの外側から口部１２の周壁下部１４と螺合する。
【００２４】
一般に、液状物を収容した容器本体に装着される、吐出用小孔を有する中蓋は、容器本体の口部に打込式により嵌め込まれるため、容易に着脱できず、中蓋を外して容器本体に液状物を再充填することが難しいが、この本容器１０によれば、中蓋２１Ａが螺合により着脱自在に本容器本体１１の口部１２に装着されるため、本容器１０を液状物の吐出容器として使用するときには、中蓋２１Ａを本容器本体１１の口部１２に螺合させて吐出用小孔２２から適量の液状物Ａを吐出させることができ、本容器本体１１に液状物Ａを充填するときには、中蓋２１Ａを口部１２から外して、口部１２から液状物Ａを充填することが容易となる。したがって、この本容器１０は、液状物Ａの詰替に供するのに適したものとなる。
【００２５】
一方、詰替容器４０Ａは、図１Ａ（ｂ）に示すように、有底筒状の詰替容器本体４１と、詰替容器本体４１の頂部から詰替容器本体４１の中心軸Ｌ１方向外側に突出した注出ノズル形成用突出部４２を有する。詰替容器本体４１は、薄肉のブロー形成ボトルから形成され、内容物の有無にかかわらず一定の形状を維持する自立性容器となっている。
【００２６】
注出ノズル形成用突出部４２は、該注出ノズル形成用突出部４２と一体に成形されたキャップ４３から起立し、キャップ４３で詰替容器本体４１の口部に着脱不可能に固定されている。
【００２７】
注出ノズル形成用突出部４２は、筒状体４４の先端部が易開封部４５で閉じられたものとなっており、筒状体４４の中心軸Ｌ２は詰替容器本体４１の中心軸Ｌ１と一致する。また、図１Ｄに示すように、筒状体４４の基部４４ａの外径は、本容器本体１１の口部１２の開口径よりも若干小さく、筒状体４４を本容器本体１１の口部１２に、殆どぐらつき無く挿入できる大きさとなっている。また、キャップ４３の外径は本容器本体１１の口部１２の開口径よりも若干大きく、キャップ４３と基部４４ａとの間に設けられている段部の水平面４４ｂで、筒状体４４を本容器本体１１の口部１２に挿入したときに、口部１２によりキャップ４３を支えうる、すなわち、本容器本体１１上に詰替容器本体４１を倒立した状態で支えうる構成となっている。
【００２８】
図４Ａに示すように、易開封部４５は、筒状体４４の先端部を斜めカットするために破断すべきラインに沿って筒状体４４に形成された環状破断部４６と、環状破断部４６よりも筒状体４４の先端部側の筒状体側面に連設したリング状の指掛け部４７を有する。ここで、筒状体４４の先端部が斜めカットされる傾きの程度としては、環状破断部４６で囲まれた面の中央部が筒状体４４の中心軸Ｌ２となす角度θ（図４Ａ（ｂ））を３０〜６０°とすることが好ましい。
【００２９】
環状破断部４６のより具体的な形成態様としては、例えば筒状体４４に環状に溝を形成し、この溝部分で筒状体４４を薄肉にする。これにより、図４Ｂに示すように、環状破断部４６の上端部を支点にして矢印方向に指掛け部４７を引き上げると環状破断部４６が破断し、易開封部４５を容易に除去することができる。なお、環状破断部４６としては、破断すべきラインに沿って筒状体の壁厚を表裏から薄くした薄肉部を形成してもよく、ハーフカット等を形成してもよい。また、易開封部４５を除去できる限り、環状破断部４６を形成する薄肉部、ハーフカット等は、連続線的又は間欠的に形成することができる。
【００３０】
易開封部４５が除去されると、注出ノズル形成用突出部４２は先端部が斜めカットされた注出ノズル４８となる。
【００３１】
なお、注出ノズル形成用突出部４２を備えたキャップ４３は、詰替容器本体４１とは別個に成型することができる。また、製造時の詰替容器４０Ａへの液状物Ａの充填は、キャップ４３を詰替容器本体４１の口部に取り付けて固定する前に行う。
【００３２】
本発明の詰替方法では、図１Ｂに示すように、まず、上述の本容器１０の本容器本体１１から外蓋３０と中蓋２１Ａを外して口部１２を開ける。一方、詰替容器４０Ａの指掛け部４７に指を掛けて引き上げて易開封部４５を除去し、注出ノズル４８を備えた詰替容器４０Ａを得る。そして、図１Ｃに示すように、詰替容器４０Ａの注出ノズル４８を本容器本体１１の口部１２に挿入し、さらに図１Ｄに示すように、本容器本体１１上に詰替容器本体４１を倒立させた状態で本容器本体１１と詰替容器本体４１とを自立させて液状物Ａを詰め替える。
【００３３】
このとき、筒状体４４の中心軸Ｌ２と詰替容器本体４１の中心軸Ｌ１とが一致し、詰替容器本体４１は本容器本体１１上に垂直に起立し、かつ筒状体の基部４４ａの外径が、筒状体４４が本容器本体１１の口部１２でふらつかない大きさに形成され、また、筒状体４４の段部の水平面４４ｂが容器本体１１の口部１２の上端縁で支えられているので、詰替容器本体４１を把持しなくても自立状態が持続する。したがって、詰替時に、液状物がこぼれないように詰替容器４０Ａを把持する手間を大きく軽減することができる。
【００３４】
また、注出ノズル４８は、適切な口径を有し、先端部が斜めカットされているので、液状物Ａは脈打ちが抑えられ、詰替容器本体４１から本容器本体１１へ滑らかに注出される。よって、液状物Ａの不用な泡立ちも抑えることができる。この液状物Ａの脈打ちの抑制効果は、例えば、液状物Ａの粘度が５００ｍＰａｓ〜１００００ｍＰａｓの場合に、注出ノズル４８の内径を１２〜２０ｍｍとし、注出ノズルの斜めカットの角度θを４０〜５０°とする場合に、特に顕著となる。
【００３５】
本発明の詰替方法は、上向きの口部を有する種々の本容器に適用することができる。例えば、図２に示す蓋部２０Ａに代えて、図３に示す蓋部２０Ｂを有する本容器にも本発明の詰替方法を好適に適用することができる。
【００３６】
図３（ａ）に示すように、この蓋部２０Ｂは、本容器本体１１の口部１２に嵌め込みにより装着される環状部材２４と、中央部に吐出用小孔２２を有する円盤状の中蓋２１Ｂと、外蓋３０からなる。環状部材２４と中蓋２１Ｂとはヒンジ２５により連結されている。したがって、中蓋２１Ｂは、本容器本体１１の口部１２を開閉自在に覆うことができる。図３（ｃ）に示すように、外蓋３０は、中蓋２１Ｂが本容器本体１１の口部１２を覆った状態で中蓋２１Ｂの外側から本容器本体１１の口部１２に螺合する。したがって、この蓋部２０Ｂを有する本容器によれば、液状物Ａの吐出容器として使用するときには、図３（ｂ）に示すように、ヒンジ２５を閉じて中蓋２１Ｂで本容器本体１１の口部１２を覆い、吐出用小孔２２から適量の液状物Ａを吐出させることができ、本容器本体１１に液状物Ａを充填するときには、ヒンジ２５を開いて本容器本体１１の口部１２を大きく開口させ、口部１２から液状物Ａを充填することが容易となる。したがって、この蓋部２０Ｂを有する本容器も内容物の詰替に供するのに適したものとなる。
【００３７】
なお、この蓋部２０Ｂは、環状部材２４と中蓋２１Ｂとこれらを連結するヒンジ２５とが一体に成形されていてもよく、別体に成型された環状部材２４と中蓋２１Ｂとをヒンジ２５で連結するものであってもよい。
【００３８】
本発明の詰替方法は、先端部が斜めカットされた注出ノズルを詰替容器本体の頂部に有し、自立性を有する種々の詰替容器を用いて行うことができ、そのような注出ノズルが形成されるように易開封部が設けられた種々の詰替容器を使用することができる。
【００３９】
例えば、図５に示した詰替容器４０Ｂは、図４Ａに示した詰替容器４０Ａにおいて円筒状であった筒状体４４の基部４４ａを、側縁部の角を丸めた四角筒状にしたものである。これにより、図１Ｄのように本容器本体１１上に詰替容器４０Ａを倒立させ、本容器本体１１の口部１２が詰替容器４０Ａで覆われるようにして液状物Ａを詰め替えても、筒状体４４の基部４４ａの外周面は、その側縁部で本容器本体１１の口部１２の内壁と接するのみで、全周面で口部１２の内壁と接することはないため、円滑に空気抜きができる。また、筒状体４４の基部４４ａの側縁部が本容器本体１１の口部１２内壁に当接ないし近接させることにより、本容器本体１１上で詰替容器４０Ａをある程度固定できる。なお、筒状体４４の基部４４ａの横断面形状を楕円としても、さらに角の多い多角形としても、同様の効果を得ることができる。
【００４０】
また、図４Ａに示した詰替容器４０Ａにおいて、詰替容器本体４１と注出ノズル形成用突出部４２とキャップ４３とを一体に形成してもよい。その場合には、詰替容器本体４１の底部に別途開口部を設け、その底部の開口部から詰替容器本体に液状物を充填し、充填後に、底部の開口部をヒートシール等により封じ切ればよい。
【００４１】
本発明の詰替容器において易開封部４５は、図６（ａ）に示す詰替容器４０Ｃのように、筒状体４４の先端部が斜めカットされるように筒状体４４に形成された環状破断部４６と、環状破断部４６で囲まれた筒状体先端部側端面４９に起立したリング状の指掛け部４７から形成してもよい。この詰替容器４０Ｃは、図６（ｂ）に矢印で示すように、指掛け部４７を上方に引き上げることにより環状破断部４６が破断し、破線で示すように易開封部４５が除去される。
【００４２】
図７に示す詰替容器４０Ｄのように、易開封部４５においてリング状の指掛け部４７が、環状破断部４６で囲まれた筒状体先端部側端面４９の上に略水平に支持されるように、筒状体先端部側端面４９の上端部と指掛け部４７とを連結させてもよい。この詰替容器４０Ｄは、図７（ｂ）に矢印で示すように、指掛け部４７を斜め下方に引っ張ることにより、環状破断部４６が破断し、破線で示すように易開封部４５が除去される。
【００４３】
図８に示す詰替容器４０Ｅのように、易開封部４５においてリング状の指掛け部４７のリング面が、筒状体４４の側面部側に該筒状体４４の起立方向と平行となるように設けられ、環状破断部４６で囲まれた筒状体先端部側端面４９の上端部と指掛け部４７の上端部とを帯状連結部５０を介して連結させてもよい。
【００４４】
この場合、リング状の指掛け部４７の下端部とキャップ４３の上面とを、手で容易に切り離すことのできるように、例えば細枝状の繋ぎ止め部５１ａで繋ぎ止めることが好ましい。これにより、搬送途中に指掛け部４７が曲がるなどして周囲に引っかかり、誤って開封するのを防ぐことが可能となる。なお、指掛け部４７を繋ぎ止める位置は、キャップ４３の上面に限らず、例えば、図８（ｃ）に示すように筒状体の基部４４ａに繋ぎ止め部５１ｂを設けてもよい。
【００４５】
この詰替容器４０Ｅの使用方法としては、図８（ｂ）又は（ｃ）に示すように、まず指掛け部４７とキャップ４３上面との間の繋ぎ止め部５１ａ又は５１ｂを千切り、帯状連結部５０を中心にして指掛け部４７を反転させるように破線のように引き起こし（矢印ａ）、更に指掛け部４７を当初の指掛け部４７の配設位置と反対側に引きおろす（矢印ｂ）。これにより、環状破断部４６が破断し、ニ点鎖線で示すように易開封部４５が除去される。このようにリング部を反転させて引き起こすと、その途中で環状破断部４６の上端部にテコの力がかかることにより亀裂が生じ、そこから破断が広がるので開封が容易となる。
【００４６】
図９Ａに示す詰替容器４０Ｆのように、易開封部４５を、筒状体４４の先端部が斜めカットされるように筒状体４４に形成された環状破断部４６と、環状破断部４６で囲まれた筒状体先端部側端面４９から延設した開封タブ５３とから形成してもよい。この詰替容器４０Ｆによれば、図９Ｂに示すように、開封タブ５３を上に引き上げることにより、開封タブ５３に対向する環状破断部４６の最下点を支点として、易開封部４５が回動するように力をかけることができ、易開封部４５を容易に除去することができる。
【００４７】
さらに、図１０Ａに示す詰替容器４０Ｇのように、易開封部４５を、筒状体４４の先端部が斜めカットされるように筒状体４４に形成された環状破断部４６と、環状破断部４６で囲まれた筒状体先端部側端面４９に起立した半円盤状の湾曲した板状部材で形成された摘み部５２から形成してもよい。この摘み部５２の筒状体先端部側端面４９に沿った横断面は、図１０Ａ（ｂ）に示すように、逆Ｓ字形状に湾曲している。したがって、易開封部４５を除去するときには、この摘み部５２の湾曲部分に指を当て、図１０Ｂに示したように、筒状体先端部側端面４９の中心軸Ｌ３を捻転の中心にして摘み部５２を捻り、易開封部４５を除去することができる。
【００４８】
図１１Ａに示す詰替容器４０Ｈは、図１０Ａの詰替容器４０Ｇにおいて、摘み部５２を波板状部材から形成したものである。この詰替容器４０Ｈも図１１Ｂに示すように、摘み部５２を捻って易開封部４５を除去することができる。
【００４９】
なお、本発明の本容器や詰替容器において、上述した変形態様は、種々組み合わせることができる。
【００５０】
また、本発明の詰替方法を実施する詰替容器は、その易開封部が必ずしも注出ノズルと一体で成型されたものでなくともよい。例えば、先端部が斜めカットされた注出ノズルの該先端部がフィルムの溶着により封じられており、使用時にそのフィルムを剥がすようにしたものでも良い。また、流通時に詰替本体の口部を覆うキャップとは別に、詰替時に詰替本体の口部に装着される詰替専用キャップとして、先端部が斜めカットされた注出ノズル付きキャップを備えたものでも構わない。
【産業上の利用可能性】
【００５１】
本発明の詰替方法は、化粧水、乳液等の液状物を詰替容器から本容器へ詰め替える方法として、有用である。
【符号の説明】
【００５２】
１０    本容器
１１    本容器本体
１２    口部
１３    周壁上部
１４    周壁下部
２０Ａ、２０Ｂ    蓋部
２１Ａ、２１Ｂ    中蓋
２２    液吐出用小孔
２３    環状壁
２４    環状部材
２５    ヒンジ
３０    外蓋
４０Ａ、４０Ｂ、４０Ｃ、４０Ｄ、４０Ｅ、４０Ｆ、４０Ｇ、４０Ｈ    詰替容器
４１    詰替容器本体
４２    注出ノズル形成用突出部
４３    キャップ
４４    筒状体
４４ａ  筒状体の基部
４４ｂ  段部の水平面
４５    易開封部
４６    環状破断部
４７    指掛け部
４８    注出ノズル
４９    筒状体先端部側端面
５０    帯状連結部
５１ａ、５１ｂ    繋ぎ止め部
５２    摘み部
５３    開封タブ
Ａ    液状物
Ｌ１    詰替容器本体の中心軸
Ｌ２    筒状体の中心軸
Ｌ３    筒状体先端部側端面の中心軸
【図１Ａ】
0005644139.tif 000002
【図１Ｂ】
0005644139.tif 000003
【図１Ｃ】
0005644139.tif 000004
【図１Ｄ】
0005644139.tif 000005
【図２】
0005644139.tif 000006
【図３】
0005644139.tif 000007
【図４Ａ】
0005644139.tif 000008
【図４Ｂ】
0005644139.tif 000009
【図５】
0005644139.tif 000010
【図６】
0005644139.tif 000011
【図７】
0005644139.tif 000012
【図８】
0005644139.tif 000013
【図９Ａ】
0005644139.tif 000014
【図９Ｂ】
0005644139.tif 000015
【図１０Ａ】
0005644139.tif 000016
【図１０Ｂ】
0005644139.tif 000017
【図１１Ａ】
0005644139.tif 000018
【図１１Ｂ】
0005644139.tif 000019